(57)【特許請求の範囲】
【請求項１】
外部ネットワークに対して無線通信接続を行うルータ装置と、前記ルータ装置に対して無線接続すると共に当該ルータ装置を経由して前記外部ネットワークに対する通信接続を行う無線通信端末とを備えた給電制御システムであって、
前記ルータ装置は、
当該ルータ装置に対して無線接続した前記無線通信端末に対して当該ルータ装置内に予め設けられた充電用電池から前記無線通信端末に対して給電を行う給電部と、
前記無線通信端末から当該無線通信端末の有する端末内電池の残りバッテリー量を示す端末電池残量情報を取得する残量情報取得部と、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの残り動作時間を推測する残量情報推測部と、
前記ルータ装置および前記無線通信端末それぞれにおける推測された前記残り動作時間が一定値内に近似する場合に前記給電部による前記無線通信端末に対する給電動作を抑制する給電抑制制御部とを備えたことを特徴とする給電制御システム。
【請求項２】
請求項１に記載の給電制御システムにおいて、
前記給電部は、前記充電用電池から得た微小電力を利用して機能し予め設定されたバッテリー残量閾値を記憶保持するマイコン手段を備え、
前記給電抑制制御部は、前記マイコン手段が備えたバッテリー残量閾値を下回った場合に前記給電部による前記無線通信端末に対する給電動作を抑制する閾値判定抑制手段を備えたことを特徴とする給電制御システム。
【請求項３】
請求項１または２に記載の給電制御システムにおいて、
前記ルータ装置は、前記給電部として非接触型電力送信を行うことにより前記無線通信端末に対して給電を行う非接触型給電部を備え、
前記無線通信端末は、前記非接触型電力送信された電力を取得し前記端末内電池に蓄電するワイヤレス電力蓄電部を有することを特徴とした給電制御システム。
【請求項４】
請求項１または２に記載の給電制御システムにおいて、
前記残量情報推測部は、前記充電用電池の残りバッテリー量を示す自己電池残量情報および前記端末電池残量情報から前記ルータ装置および前記無線通信端末それぞれの前記残り動作時間を示す装置動作時間および端末動作時間を算出することを特徴とした給電制御システム。
【請求項５】
無線通信端末に対して通信親機としての無線通信電波を提供すると共に外部ネットワークに対して無線通信接続を行うルータ装置であって、
当該ルータ装置に対して前記無線通信電波を利用して無線接続した前記無線通信端末に対して自己内に予め設けられた充電用電池から給電を行う給電部と、
前記無線通信端末から当該無線通信端末の有する端末内電池の残りバッテリー量を示す端末電池残量情報を取得する残量情報取得部と、
前記充電用電池の残りバッテリー量を示す自己電池残量情報、前記無線通信端末装置内に設けられた端末電池の残りバッテリー量を示す端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの残り動作時間を推測する残量情報推測部と、
前記推測された残り動作時間が一定値内に近似する場合に前記給電部による前記無線通信端末に対する給電動作を抑制する給電抑制制御部とを備えたことを特徴とするルータ装置。
【請求項６】
外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御方法であって、
前記ルータ装置に対して無線接続した前記無線通信端末に対して自己内に予め設けられた充電用電池から給電を行い、
前記無線通信端末から当該無線通信端末の有する端末内電池の残りバッテリー量を示す端末電池残量情報を取得し、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの残り動作時間を推測し、
前記推測された残り動作時間が一定値内に近似する場合に給電部による前記無線通信端末に対する給電動作を抑制する構成とし、
上記動作工程を前記ルータ装置により実行することを特徴とした給電制御方法。
【請求項７】
外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御プログラムであって、
前記ルータ装置に対して無線接続した前記無線通信端末に対して自己内に予め設けられた充電用電池から給電を行う給電機能と、
前記無線通信端末から当該無線通信端末の有する端末内電池の残りバッテリー量を示す端末電池残量情報を取得する残量情報取得機能と、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの残り動作時間を推測する残量情報推測機能と、
前記推測された残り動作時間が一定値内に近似する場合に給電部による前記無線通信端末に対する給電動作を抑制する給電抑制制御機能とを、前記ルータ装置の備えたコンピュータにより実現することを特徴とした給電制御プログラム。
【発明の詳細な説明】
【技術分野】
【０００１】
本発明は、モバイルワイヤレスルータに対して無線接続したモバイル機器に対して、モバイルワイヤレスルータから給電を行う給電制御システムに関する。
【背景技術】
【０００２】
常時携帯されることが考慮されたスマートフォンなどのモバイル機器においては、持ち運びに適したサイズとして搭載可能なバッテリーの大きさも小さなサイズに限られてしまうため、モバイル機器には大容量のバッテリを搭載することができず、動作時間が短くなってしまうという不都合がある。
【０００３】
一方、近年モバイルワイヤレスルータはバッテリー容量が大きく、サイズが大型の２次電池を搭載し、これまでのモバイルワイヤレスルータに比して動作時間の長いものが利用されるようになってきている。
【０００４】
このため、電源確保が困難な外出時などに、スマートフォンなどのモバイル機器のバッテリー残量が低下した際に、バッテリー容量の大きなモバイルワイヤレスルータを持ち運び可能な給電装置（モバイル電源）として利用することでモバイル機器を充電し、これにより、モバイル機器の稼働時間を延ばすことが可能となる。
【０００５】
一方で、モバイルワイヤレスルータがモバイル機器にすべての電力を供給してしまうと、自らがワイヤレスルータとして動作できなくなってしまうという不都合がある。すなわち、モバイルワイヤレスルータが接続されているモバイル機器に対して給電を行なう場合、モバイルワイヤレスルータまたはモバイル機器のどちらか一方が先にバッテリー残量不足で動作不能になっても、使用上不便となってしまう。
【０００６】
これに対する関連技術として、ＵＳＢケーブルで相互に接続されたＰＤＡ（スレーブ側）およびコンピュータ（マスター側）におけるＰＤＡからＰＤＡの稼働残り時間がコンピュータに送信され、コンピュータの電源制御部がこの稼働残り時間に応じてＰＤＡの充電電池への給電（充電）を行う、または充電電池への給電（充電）を停止するシステムが開示されている（特許文献１）。
【先行技術文献】
【特許文献】
【０００７】
【特許文献１】特開２００５−２８７２７８号公報
【発明の概要】
【発明が解決しようとする課題】
【０００８】
しかしながら、上記特許文献１に記載の関連技術では、充電電池の電圧レベルと予め設定された閾値とを比較し、電池の電圧レベルが閾値以下の場合にスレーブとしてコンピュータ（携帯電話機）に充電不可を通知し、これに基づき充電動作を制御するものであり、スレーブにおける動作内容が正確にマスター側に通知されないため、スレーブにおける稼働残り時間（つまり、バッテリー残量）を正確に予測することができず、このため、マスター側およびスレーブ側それぞれにおける必要な電力に適応した形で給電動作を制御することができないという不都合があった。
【０００９】
［発明の目的］
本発明は、上記関連技術の有する不都合を改善し、モバイルワイヤレスルータ装置に無線ＬＡＮ接続したモバイル機器に対してモバイルワイヤレスルータ装置から給電を行い且つこの給電動作を有効に制御する給電制御システム、ルータ装置、給電制御方法、および給電制御プログラムを提供することを、その目的とする。
【課題を解決するための手段】
【００１０】
上記目的を達成するため、本発明に係る給電制御システムは、外部ネットワークに対して無線通信接続を行うルータ装置と、前記ルータ装置に対して無線接続すると共に当該ルータ装置を経由して前記外部ネットワークに対する通信接続を行う無線通信端末とを備えた給電制御システムであって、前記ルータ装置は、当該ルータ装置に対して無線接続した前記無線通信端末に対して当該ルータ装置内に予め設けられた充電用電池から前記無線通信端末に対して給電を行う給電部と、前記無線通信端末から当該無線通信端末の有する端末内電池の残りバッテリー量を示す端末電池残量情報を取得する残量情報取得部と、前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測部と、前記ルータ装置および前記無線通信端末それぞれにおける推測された前記電池残量に係る情報が一定値内に近似する場合に前記給電部による前記無線通信端末に対する給電動作を抑制する給電抑制制御部とを備えたことを特徴としている。
【００１１】
また、本発明に係るルータ装置は、無線通信端末に対して通信親機としての無線通信電波を提供すると共に外部ネットワークに対して無線通信接続を行うルータ装置であって、当該ルータ装置に対して前記無線通信電波を利用して無線接続した前記無線通信端末に対して自己内に予め設けられた充電用電池から給電を行う給電部と、前記無線通信端末から当該無線通信端末の有する端末内電池の残りバッテリー量を示す端末電池残量情報を取得する残量情報取得部と、前記充電用電池の残りバッテリー量を示す自己電池残量情報、前記無線通信端末装置内に設けられた端末電池の残りバッテリー量を示す端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測部と、前記推測された電池残量を示す情報が一定値内に近似する場合に前記給電部による前記無線通信端末に対する給電動作を抑制する給電抑制制御部とを備えたことを特徴としている。
【００１２】
また、本発明に係る給電制御方法は、外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御方法であって、前記ルータ装置に対して無線接続した前記無線通信端末に対して自己内に予め設けられた充電用電池から給電を行い、前記無線通信端末から当該無線通信端末の有する端末内電池の残りバッテリー量を示す端末電池残量情報を取得し、前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測し、前記推測された電池残量を示す情報が一定値内に近似する場合に前記給電部による前記無線通信端末に対する給電動作を抑制する構成とし、上記動作工程を前記ルータ装置により実行することを特徴としている。
【００１３】
また、本発明に係る通信機器接続プログラムは、外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御プログラムであって、前記ルータ装置に対して無線接続した前記無線通信端末に対して自己内に予め設けられた充電用電池から給電を行う給電機能と、前記無線通信端末から当該無線通信端末の有する端末内電池の残りバッテリー量を示す端末電池残量情報を取得する残量情報取得機能と、前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測機能と、前記推測された電池残量を示す情報が一定値内に近似する場合に前記給電部による前記無線通信端末に対する給電動作を抑制する給電抑制制御機能とを、前記ルータ装置の備えたコンピュータにより実現することを特徴としている。
【発明の効果】
【００１４】
本発明は、上述したように、モバイルルータ装置が、充電用電池の残りバッテリー量を示す自己の電池残量情報と、モバイルルータ装置に無線接続した無線通信端末（モバイル機器）における電池残量情報と、モバイル機器のモバイルルータ装置に対する無線通信接続状況、および外部ネットワーク（ＷＡＮ）に対する接続状況に基づきモバイルルータ装置およびモバイル機器それぞれの電池残量を推測する残量推測部（メイン制御部）を備えた構成としたことにより、モバイルワイヤレスルータ（モバイルルータ装置）に無線ＬＡＮ接続したモバイル機器に対してモバイルワイヤレスルータから給電を行うと共に、この給電動作を有効に制御することを可能にする対話通信制御システム、対話通信制御方法、および対話通信制御プログラムを提供することができる。
【図面の簡単な説明】
【００１５】
【図１】本発明である給電制御システムの一実施形態を示す概略ブロック図である。
【図２】図１で示した給電制御システムにおけるモバイルワイヤレスルータ装置の内部構成の一例を示す概略ブロック図である。
【図３】図５で示した給電制御システムにおけるモバイルワイヤレスルータ装置の内部構成の一例を示す概略ブロック図である。
【図４】図５で示した給電制御システムにおけるモバイル機器の内部構成の一例を示す概略ブロック図である。
【図５】本発明である給電制御システムの一実施形態を示す概略ブロック図である。
【図６】図５で示した給電制御システムにおける全体的な動作内容を示すフローチャートである。
【図７】図６で示した給電制御システムにおける残り動作時間比較工程の動作内容を示すフローチャートである。
【図８】図５で示した給電制御システムの変形例における動作内容を示すフローチャートである。
【図９】図８で示した給電制御システムにおける残り動作時間比較工程の動作内容を示すフローチャートである。
【図１０】図５で示した給電制御システムの変形例におけるモバイルワイヤレスルータ装置の内部構成の一例を示す概略ブロック図である。
【図１１】図５で示した給電制御システムの他の変形例におけるモバイルワイヤレスルータ装置の内部構成の一例を示す概略ブロック図である。
【図１２】図１３で示した給電制御システムにおけるモバイルワイヤレスルータ装置の内部構成の一例を示す概略ブロック図である。
【図１３】本発明である給電制御システムの一実施形態を示す概略ブロック図である。
【図１４】本発明である給電制御システムの一実施形態を示す概略ブロック図である。
【図１５】図１４で示した給電制御システムにおける全体的な動作内容を示すフローチャートである。
【図１６】図１４で示した給電制御システムにおける電池残量および充電電流の大きさに対応する充電完了時間を示すテーブル情報の一例を示す説明図である。
【発明を実施するための形態】
【００１６】
［実施形態］
本発明を実施するための実施形態である給電制御システムは、図１に示すように、Ｗｉ−Ｆｉなどの無線LAN通信を行うノートパソコン、スマートフォン、携帯情報端末（無線ＬＡＮ対応機器）としてのモバイル機器２００と、このモバイル機器２００に対して電力供給を行うモバイルルータ装置２０１と、無線ＬＡＮ対応機器に対して携帯電話の３Ｇ回線などの無線ＷＡＮ通信を中継すると共にモバイル機器２００に対して電力供給を行う給電機能付モバイルワイヤレスルータ装置２０１と、モバイルルータ装置２０１の無線ＷＡＮ通信接続先である携帯電話回線基地局としての無線ＷＡＮ基地局２０２を含む構成を有する。
【００１７】
上記構成により、無線ＬＡＮ対応機器（例えば、ノートパソコン）であるモバイル機器２００は、モバイルルータ装置２０１が無線ＷＡＮ基地局に対して無線ＷＡＮ通信（例えば、ＷｉＭＡＸ、３G無線通信回線など）を介して接続可能な場所であれば、インターネット接続を行うことが可能となる。このため、インターネット環境を屋外でも構築することができる。
【００１８】
給電機能付モバイルワイヤレスルータ装置（以下「モバイルルータ装置」という）２０１は、図２に示すように、モバイルルータ装置２０１内における動作制御を司り、ルーティング動作や各通信モジュールの制御を行うメイン制御部１００と、メイン制御部１００における動作制御に必要な設定事項などを記憶する記憶部１０５と、無線WAN通信回線に通信接続するためのアンテナである無線WAN用アンテナ１０２と、Wi−Fiなどの無線LAN通信回線に通信接続するための無線WAN用アンテナ１０４を備えている。
尚、上記メイン制御部１００は、予め設定されたＯＳ（オペレーティングシステム）に基づく実行処理を行うＣＰＵ（中央演算装置）を含み構成されるものとする。
【００１９】
また、モバイルルータ装置２０１は、無線WAN用アンテナ１０２を介して無線WAN回線（WiMAX網）に接続を行う無線WAN通信モジュール１０１と、無線LANアンテナ１０４を介して無線LAN回線に接続を行う無線LAN通信モジュール１０３と、モバイルルータ装置２０１における２次電池としてのバッテリー１０７と、バッテリー１０７における充電残量を常時監視するバッテリー残量監視部１１２と、バッテリー１０７の電圧を適切に変換し、電力を各ブロックに供給する電源回路部１０６を有した構成とする。
【００２０】
更に、モバイルルータ装置２０１は、受電インターフェイス１０８を介して取得される電力をバッテリー１０７に充電する動作の制御を行う充電制御部１０９と、バッテリー１０７の電力を給電インターフェイス１１１を介してモバイル機器２００に対して給電する動作制御（給電制御）を行なう給電制御部１１０を備えている。ここで、給電制御部１１０は、上記給電制御動作として、具体的には、電圧変換、電流制限、給電開始／停止などを行うものとする。
【００２１】
［実施形態１］
ここで、上記給電制御システムの具体的な実施形態として、図５に示すように、モバイルルータ装置５０１およびモバイル機器５００を相互にＵＳＢケーブルで接続し、このＵＳＢケーブルを介してモバイルルータ装置２０１からモバイル機器２００に対する電力供給を行う構成（給電制御システム１０）について説明する。
【００２２】
尚、図５における、モバイルルータ装置５０１は上記モバイルルータ装置２０１に、モバイル機器５００は上記モバイル機器２００に、また、ＷｉＭＡＸ基地局５０２は上記無線ＷＡＮ基地局２０２に、それぞれ対応するものとする。
【００２３】
モバイルルータ装置５０１は、図３に示すように、無線ＷＡＮ用アンテナ３０２を介して無線ＷＡＮ回線であるＷｉＭＡＸ網に接続を行うＷｉＭＡＸ通信モジュール３０１と、無線ＬＡＮアンテナ３０４を介して無線ＬＡＮ回線に接続を行う無線LAN通信モジュール３０３と、モバイルルータ装置５０１における２次電池としてのＬｉ−ｉｏｎ（リチウムイオン）バッテリー３０７と、バッテリー３０７における充電残量を常時監視するバッテリー残量監視部３１２と、Ｌｉ−ｉｏｎバッテリー３０７の電圧を適切に変換し、電力を各ブロックに供給する電源回路部３０６を有している。
【００２４】
また、モバイルルータ装置５０１は、Ｍｉｃｒｏ−Ｂ  ＵＳＢインターフェイス（受電インターフェイス１０８に対応）３０８を介して取得される電力をＬｉ−ｉｏｎバッテリー３０７に充電する動作を制御する充電制御部３０９と、Ｌｉ−ｉｏｎバッテリー３０７の電力をＭｉｃｒｏ−Ａ  ＵＳＢインターフェイス（給電インターフェイス１１１に対応）３１１を介してモバイル機器５００に対して給電する動作を制御する給電制御部３１０を備えている。
【００２５】
これにより、モバイルルータ装置５０１は、モバイル機器５００における無線アクセスポイントとして機能し、このため、モバイル機器５００はモバイルルータ装置５０１を介してＷｉＭＡＸ通信を利用してインターネット接続を行うことが可能となる。
【００２６】
尚、本実施形態におけるモバイルルータ装置５０１は、上述のように、モバイル機器５００に対して電源供給を行うための給電端子としてＭｉｃｒｏ−ＵＳＢ端子（３１１）を利用し、更に、図５に示すように、無線ＷＡＮ通信回線としてＷｉＭＡＸ通信回線を利用しているものとする。
【００２７】
次に、モバイルルータ装置５０１による給電対象であるモバイル機器５００の内部構成について説明する。
モバイル機器５００は、図４に示すように、二次電池としてのＬｉ−ｉｏｎバッテリー４０４と、外部ＡＣアダプタ等を接続してＬｉ−ｉｏｎバッテリー４０４を充電する為の受電インターフェイスであるＭｉｃｒｏ−Ｂ  ＵＳＢインターフェイス（コネクタ）４０６と、Micro-B USBコネクタ４０６を介して得られた電力をＬｉ−ｉｏｎバッテリー４０４に充電する動作を制御する充電制御部４０５と、Ｌｉ−ｉｏｎバッテリー４０４における充電残量を常時監視するバッテリー残量監視部４０１と、無線ＬＡＮ通信部４０２を介してモバイルルータ装置５０１と無線ＬＡＮ接続を確立するための無線接続制御を行うメイン制御部４００を含む。
【００２８】
また、メイン制御部４００は、バッテリー残量監視部４０１で検知されたＬｉ−ｉｏｎバッテリー４０４のバッテリー残量からモバイル機器５００における無線ＬＡＮ動作時の残り動作時間を推測する専用アプリケーション手段４００１を備えている。
【００２９】
また、専用アプリケーション手段４００１は、モバイル機器５００の残り動作時間を示す情報をモバイルルータ５０１に転送する機能を有する。
【００３０】
尚、無線ＬＡＮ通信部４０２は、モバイルルータ装置５０１の無線ＬＡＮ通信モジュール３０３と無線ＬＡＮ通信（Ｗｉ−Ｆｉ接続）を確立するための無線通信を行い、これにより、モバイル機器５００およびモバイルルータ装置５０１は相互に無線ＬＡＮ通信を介して接続される。
これにより、無線ＬＡＮ通信部４０２は、モバイル機器５００における計測された残り動作時間を示す情報を無線ＬＡＮ通信を利用して通知することが可能となる。
【００３１】
本実施形態では、以上に示した構成を有することにより、モバイル機器のバッテリー残量が一定値以下に低下した場合にモバイルルータ装置から給電を行うことができるため、モバイル機器の動作時間を延ばすことが可能となる。
【００３２】
尚、本実施形態におけるモバイル機器５００ではＭｉｃｒｏ−ＵＳＢの代わりに専用の電源コネクタを設けた構成としてもよい。
また、モバイルルータ装置５０１におけるＷｉＭＡＸ通信モジュール３０１は他のＷＡＮ通信モジュールとして、例えば、携帯電話通信網である３G、ＬＴＥ、ＰＨＳ網などを利用する通信モジュールを備えた構成であってもよい。
【００３３】
また、本実施形態におけるモバイルルータ装置５０１は、図１１に示すように、受電インターフェイスであるＭｉｃｒｏ‐Ｂ  ＵＳＢインターフェイス、または給電インターフェイスであるＭｉｃｒｏ‐Ａ  ＵＳＢインターフェイスとして機能する単一のインターフェイスとしてのＭｉｃｒｏ‐ＡＢ  ＵＳＢコネクタ１１１１を備えた構成としてもよい。
【００３４】
このとき、モバイルルータ装置５０１は、Ｍｉｃｒｏ‐ＡＢ  ＵＳＢインターフェイス１１１１を、受電インターフェイスとして使用するか、または給電インターフェイスとして使用するかを切り替え選択指定する受電／給電切り替えスイッチ１０８を備えているものとする。
【００３５】
これにより、同一のUSBインターフェイスを受電インターフェイスまたは給電インターフェイスとして利用することが可能となり、これにより、モバイルルータ装置外面におけるUSBインターフェイスによる占有領域を軽減することが可能となる。
【００３６】
［実施形態１の変形例ａ］
次に、上記実施形態１の変形例ａについて、図１０に基づき説明する。
この変形例ａにおけるモバイルルータ装置５０１ａでは、微小な電力で動作し、モバイル機器に対する給電を停止するための閾値（モバイルルータ装置におけるバッテリー残量の一定値を示す）を記憶保持するマイコン手段を給電制御部が備えた点が上記実施形態１の場合（モバイルルータ装置５０１）と相違する。
【００３７】
これにより、この変形例ａでは、モバイル機器側における残り動作時間の推定ができない場合や、モバイルルータ装置の電源がＯＦＦ状態である（つまり、モバイルルータ装置のメイン制御部が稼動していない）場合でも、モバイルルータ装置からモバイル機器に対する給電動作の制御を行うことが可能となる。
【００３８】
尚、上述の実施形態１では給電停止のタイミングをモバイル機器５００とモバイルルータ装置５０１の残り動作時間に基づき決定していたが、この変形例ａにおいては、モバイルルータ装置５０１ａにおける予め設定されたバッテリー残量の閾値を停止タイミングとする。
【００３９】
モバイルルータ装置５０１ａは、図１０に示すように、無線ＷＡＮ用アンテナ１００２を介して無線ＷＡＮ回線であるＷｉＭＡＸ網に接続を行うＷｉＭＡＸ通信モジュール１００１と、無線ＬＡＮアンテナ３０４を介して無線ＬＡＮ回線に接続を行う無線LAN通信モジュール１００３と、モバイルルータ装置５０１ａにおける２次電池としてのＬｉ−ｉｏｎ（リチウムイオン）バッテリー１００７と、バッテリー１００７における充電残量を常時監視するバッテリー残量監視部１０１２と、Ｌｉ−ｉｏｎバッテリー１００７の電圧を適切に変換し、電力を各ブロックに供給する電源回路部１００６を有している。
【００４０】
また、モバイルルータ装置５０１ａは、Ｍｉｃｒｏ−Ｂ  ＵＳＢインターフェイス（受電インターフェイス１０８に対応）１００８を介して取得される電力をＬｉ−ｉｏｎバッテリー１００７に充電する動作を制御する充電制御部１００９と、Ｌｉ−ｉｏｎバッテリー３０７の電力をＭｉｃｒｏ−Ａ  ＵＳＢインターフェイス（給電インターフェイス１１１に対応）１０１１を介してモバイル機器５００ａに対して給電する動作を制御する給電制御部１０１０を備えている。
【００４１】
また、給電制御部１０１０は、微小な電力で動作し、給電を停止するための閾値（予め設定されたバッテリー残量の一定値を示す）を記憶保持するマイコン手段１０１０ａを備えている。
また、マイコン手段１０１０ａは、バッテリー残量監視部１０１２との通信機能を有し、メイン制御部１０００を通さなくてもバッテリー残量を取得する（認識可能とする）ことが可能であるものとする。
【００４２】
尚、マイコン手段１０１０ａは、モバイルルータ装置５０１ａのLi-ionバッテリーの電力を利用して動作するものとする。
これにより、モバイルルータ装置５０１ａ（図１０）は、当該モバイルルータ装置５０１ａが電源ＯＦＦの状態である場合や、メイン制御部１０００が動作不可の状態にある場合でも、モバイルルータ装置５０１ａのバッテリー（Ｌｉ−ｉｏｎバッテリー１００７のバッテリー）残量が一定値に達した場合に、給電制御部１０１０は、モバイル機器５００ａに対する給電を停止することができる。
【００４３】
［実施形態１の動作説明］
次に、上記の実施形態１（図５）の全体的な動作について説明する。
まず、モバイルルータ装置５０１の給電制御部３１０は、自己（モバイルルータ装置５０１）に対して無線接続したモバイル機器（無線通信端末）５００に対して、モバイルルータ装置５０１内に予め設けられた充電用電池であるＬｉ−ｉｏｎバッテリー３０７から給電を行う（給電工程）。
【００４４】
次いで、メイン制御部３００は、モバイル機器（無線通信端末）５００からモバイル機器５００内の電池（Ｌｉ−ｉｏｎバッテリー４０４）の残りバッテリー量を示す情報（端末電池残量情報）を取得する（残量情報取得工程）と共に、モバイルルータ装置５０１のＬｉ−ｉｏｎバッテリー３０７の残りバッテリー量を示す自己電池残量情報、モバイル機器５００の残りバッテリー量（端末電池残量情報）、モバイル機器５００のモバイルルータ装置５０１に対する無線通信接続状況、およびＷｉＭＡＸ網に対する通信接続状況に基づいて、モバイルルータ装置５０１およびモバイル機器５００それぞれの電池残量を推測する（残量推測工程）。
最後に、給電制御部３１０が、推測された電池残量を示す情報が一定値内に近似する場合に前記給電部による前記無線通信端末に対する給電動作を抑制する（給電抑制制御工程）。
【００４５】
ここで、上記給電工程、残量情報取得工程、残量推測工程、および給電抑制制御工程については、その実行内容をプログラム化し、コンピュータに実行させるように構成してもよい。
また、本プログラムは、非一時的な記憶媒体、例えば、ＤＶＤ、ＣＤ、フラッシュメモリなどに記録されてもよい。その場合、本プログラムは、記録媒体からコンピュータによって読み出され、実行される。
【００４６】
次に、上記実施形態１の動作内容について、図６のフローチャートに基づき説明する。
【００４７】
まず、モバイル機器５００が、無線アクセスポイントとして機能するモバイルルータ装置５０１に対して無線ＬＡＮ通信接続を確立する（ステップＳ６０１）。
次いで、モバイルルータ装置５０１およびモバイル機器５００が電源供給用ケーブル（USBケーブル）を介して相互に接続される（ステップＳ６０１）。
これにより、モバイルルータ装置５０１からモバイル機器５００に対して給電が開始され、モバイル機器２００における充電が行われる。
【００４８】
次に、モバイルルータ装置５０１およびモバイル機器５００それぞれの残り動作時間が算出され、この動作時間を給電制御部３１０が比較する（残り動作時間比較工程：ステップＳ６０３）。
ここで、モバイルルータ装置５０１、モバイル機器２００それぞれの残り動作時間が同等時間になった時点で、給電制御部３１０がモバイル機器２００に対する給電を停止する（ステップＳ６０４）。
【００４９】
ここで、上記ステップＳ６０３の残り動作時間比較工程について、図７のフローチャートに基づき詳説する。
【００５０】
上記残り動作時間比較工程では、まず、モバイル機器５００の専用アプリケーション手段４００１がバッテリー残量監視部４０１からバッテリー残量情報を取得し、モバイル機器５００における無線ＬＡＮ動作時における残り動作時間を、このバッテリー残量情報に基づき推測する（動作時間推定算出工程：ステップＳ７００）。
【００５１】
次いで、メイン制御部（専用アプリケーション手段４００１）４００は、無線ＬＡＮ通信部４０２およびアンテナ４０３を利用して、推定算出された残り動作時間を示すデータをモバイルルータ装置５０１に対して送信する（ステップＳ７０１：残り動作時間データ転送工程）。
【００５２】
次に、モバイルルータ装置５０１のメイン制御部３００が、バッテリー残量監視部３１２から得た値に基づき、モバイルルータ装置５０１の残り動作時間（すなわち、Ｌｉ−ｉｏｎバッテリー３０７の残りバッテリー量）の推定算出を行う。
【００５３】
このとき、メイン制御部３００は、ＷｉＭＡＸ通信モジュール３０１および無線ＬＡＮ通信モジュール３０３を介して取得したモバイル機器５００のモバイルルータ装置５０１に対する無線通信接続状況（例えば、通信パケット量）、およびＷｉＭＡＸ網（外部ネットワーク）に対する通信状況（例えば、通信パケット量）などに基づき、モバイルルータ装置５０１およびモバイル機器５００それぞれの残り動作時間を推定する。
【００５４】
次いで、モバイルルータ装置５０１のメイン制御部３００が、モバイルルータ装置５０１およびモバイル機器５００それぞれの残り動作時間を比較する。
ここで、モバイル機器５００の残り動作時間の方が短い場合（ノー：ステップＳ７０３）、予め設定された期間待機し、ステップＳ７００に戻る。また、モバイル機器２００の残り動作時間の方が長い場合（イエス：ステップＳ７０３）、給電を停止する制御を行う。
【００５５】
以上のように、本実施形態では、モバイルルータ装置からモバイル機器を充電した場合には、相互の使用時間を近似させることが可能となるので、モバイルルータ装置またはモバイル機器のうちの一方の機器のバッテリー切れが生じてしまうのを有効に抑制することができる。
【００５６】
更に、モバイルルータ装置からモバイル機器の充電を行う（モバイル機器に給電を行う）際に、予め設定した閾値で給電を停止することができるため、給電後もモバイルルータ装置を利用することが可能となる。
【００５７】
［実施形態１（変形例ａ）の動作説明］
次に、実施形態１の変形例ａの動作内容について、図８のフローチャートに基づき説明する。
ここでは、モバイルルータ装置５０１ａとモバイル機器５００ａが電源供給用ケーブル（ＵＳＢケーブル）で接続されるものとする（ステップＳ８００）。
【００５８】
このとき、モバイルルータからの給電が開始され、モバイル機器５００ａの充電が開始される（ステップＳ８０１）。
次いで、  バッテリー残量監視部が、モバイルルータ装置５０１ａのバッテリー残量を確認し（バッテリー残量確認工程：ステップ８０２）、モバイルルータ装置５０１ａにおけるバッテリー残量が閾値（一定値）を下回ったところで、モバイル機器５００ａに対する給電を停止する（ステップ８０３）。
【００５９】
次に、ステップＳ８０２のバッテリー量確認工程について、図９のフローチャートに基づき詳説する。
【００６０】
このバッテリー量確認工程では、まず、バッテリー残量比較をするために、モバイルルータ装置５０１ａのメイン制御部が、バッテリー残量監視部からバッテリー残量の値を取得する（測定）（ステップＳ９００）。
【００６１】
続いて、メイン制御部は、記憶部に保存された給電停止するバッテリー残量の閾値を取得する（ステップＳ９０１）。次に、メイン制御部は、ステップ９００で得られたバッテリー残量が、ステップ９０１で取得した閾値以上であった場合（イエス：ステップ９０２）、
【００６２】
ここで、メイン制御部は、一定時間待機して（ステップＳ９０３）、ステップ９００に戻る。一方、バッテリー残量が閾値を下回っていた場合（ノー：ステップＳ９０２）には、給電を停止する。
尚、給電を停止するための閾値はユーザが任意で設定できるものとし、設定された値は記憶部に保存されているものとする。
【００６３】
これにより、モバイルルータ装置は、モバイル機器２００側で残り動作時間の推定を行うことができない場合や、モバイル機器の電源がOFF状態である場合でも、モバイル機器に対する給電動作を適切に制御することが可能となる。
【００６４】
また、モバイルルータ装置２０１が電源ＯＦＦ状態、つまり、メイン制御部１０００が動作しない場合であっても、モバイル機器に対する給電制御を行うことが可能となる。このため、例えば、モバイルルータ装置が電源ＯＦＦ状態、つまり、モバイルルータ装置のメイン制御部が動作しない状態であっても、モバイルルータ装置からモバイル機器に対する給電を行うことが可能となる。
【００６５】
更には、マイコン手段１０１０ａが、バッテリー残量と給電を停止する閾値を比較する処理を行うことにより、モバイルルータ装置５０１ａでは、電源ＯＦＦ状態でもモバイルルータ装置からモバイル機器に対する給電動作が可能になり（図８、図９のフローチャート）、モバイルルータ装置５０１ａは、モバイル機器５００ａに対して給電する場合でも、自己の動作に必要な一定量のバッテリーを残すことが可能となる。
【００６６】
上述のように、本実施形態（変形例ａ）では、モバイルワイヤレスルータが通信しながらモバイル機器に給電する場合、モバイル機器はバッテリー残量から予測される残り動作時間の情報をモバイルワイヤレスルータに送り、モバイルワイヤレスルータは自らのバッテリー残量から予測される残り動作時間と比較する。
このとき、モバイル機器の予測動作時間がモバイルワイヤレスルータのそれと比べて短い場合は給電を継続し、モバイル機器の予測動作時間がモバイルワイヤレスルータの予測動作時間と同程度、もしくは、モバイル機器の予測動作時間の方が長い場合に給電を停止する。
【００６７】
これにより、本実施形態では、モバイル機器への給電とモバイルワイヤレスルータとしての動作を両立させることが可能となる。
また、変形例ａにおいては、モバイルワイヤレスルータはある一定値（例えば、バッテリー残量３０％など）の閾値を持ち、バッテリー残量がこれを下回るときは給電動作を停止する（抑制する）といった制御を行うことも可能であり、この制御により、モバイルワイヤレスルータ自らが動作可能な一定の電力を残すことができる。
【００６８】
［実施形態２］
次に、上記給電制御システムの具体的な実施形態として、図１３に示すように、モバイルルータ装置１３０１からモバイル機器１３００に対して、非接触電力伝送により電力供給を行う構成（給電制御システム２０）について説明する。
【００６９】
尚、図１３におけるモバイルルータ装置１３０１は上記モバイルルータ装置２０１（図１）に、モバイル機器１３００は上記モバイル機器２００（図１）に、また、ＷｉＭＡＸ基地局１３０２は上記無線ＷＡＮ基地局２０２（図１）に、それぞれ対応するものとする。
【００７０】
モバイルルータ装置１３０１は、図１２に示すように、無線ＷＡＮ用アンテナ１２０２を介して無線ＷＡＮ回線であるＷｉＭＡＸ網に接続を行うＷｉＭＡＸ通信モジュール１２０１と、無線ＬＡＮアンテナ１２０４を介して無線ＬＡＮ回線に接続を行う無線ＬＡＮ通信モジュール１２０３と、モバイルルータ装置１３０１における２次電池としてのＬｉ−ｉｏｎ（リチウムイオン）バッテリー１２０７と、バッテリー１２０７における充電残量を常時監視するバッテリー残量監視部１２１２と、Ｌｉ−ｉｏｎバッテリー１２０７の電圧を適切に変換し、電力を各ブロックに供給する電源回路部１２０６を有している。
【００７１】
また、モバイルルータ装置１３０１は、Ｍｉｃｒｏ−Ｂ  ＵＳＢインターフェイス（受電インターフェイス１０８に対応）１２０８を介して取得される電力をＬｉ−ｉｏｎバッテリー１２０７に充電する動作を制御する充電制御部１２０９と、Ｌｉ−ｉｏｎバッテリー１２０７に充電された電力を非接触電力送電部（給電インターフェイス１１１に対応）１２１１を介してモバイル機器１３００に対して給電する動作を制御する給電制御部１２１０を備えている。
【００７２】
これにより、モバイルルータ装置１３０１は、モバイル機器１３００における無線アクセスポイントとして機能し、このため、モバイル機器１３００はモバイルルータ装置１３０１を介してＷｉＭＡＸ通信を利用してインターネット接続を行うことが可能となる。
【００７３】
また、モバイルルータ装置１３０１は、上述のように、モバイル機器１３００に対して非接触充電方式により充電を行う。
尚、モバイルルータ装置１３０１はワイヤレスで使用可能であることがメリットであるため、電力給電についても、ＵＳＢケーブル等を利用することなく、ワイヤレスで電力供給を行うことにより、モバイル機器およびモバイルルータの利用者にとっての利便性が更に向上する。
【００７４】
また、モバイル機器１３００は、上述のように、非接触充電方式に対応した構成を有し、モバイル機器１３００の備えたＬｉ−ｉｏｎバッテリーはモバイルルータ装置１３０１による非接触給電により充電される。
【００７５】
モバイルルータ装置１３０１による給電対象であるモバイル機器１３００は、二次電池としてのＬｉ−ｉｏｎバッテリーを有し、モバイルルータ１３０１からの非接触電力伝送を受信し得られた電力により、上記Ｌｉ−ｉｏｎバッテリーを充電する非接触電力受信部を備えている。尚、非接触電力受信部は、図４におけるＭｉｃｒｏ−Ｂ  ＵＳＢインターフェイス（コネクタ）４０６に対応する。
これにより、モバイルルータ装置１３０１は、電池残量や動作時間などの情報のやり取りを、無線ＬＡＮ通信を介して行いつつ、非接触電力伝送によりモバイル機器１３００に対して給電を行うことができるため、ワイヤレス環境で充電制御を行うことができる。
【００７６】
これにより、モバイル機器１３００およびモバイルルータ装置１３０１が、一定の距離に近接した場合に、モバイルルータ装置１３０１からモバイル機器１３００に対して非接触電力供給が行われる。
【００７７】
尚、本実施形態は、図１４に示すように、モバイルルータ装置１３０１のＭｉｃｒｏ−Ｂ  ＵＳＢインターフェイス１２０８を、ＡＣアダプタ１４０３を介してＡＣ１００Ｖコンセントに接続する構成としてもよい。これにより、ＡＣ１００Ｖコンセントからモバイルルータ装置１３０１のＬｉ−ｉｏｎバッテリー１２０７に対して常時充電が行われることとなる。
【００７８】
［実施形態２の動作説明］
次に、上記の実施形態２（図１３）の全体的な動作について説明する。
まず、モバイルルータ装置１３０１の給電制御部１２１０は、自己（モバイルルータ装置１３０１）に対して無線接続したモバイル機器（無線通信端末）１３００に対して、モバイルルータ装置１３０１内に予め設けられた充電用電池であるＬｉ−ｉｏｎバッテリー１２０７から給電を行う（給電工程）。
【００７９】
次いで、メイン制御部１２００は、モバイル機器（無線通信端末）１３００からモバイル機器１３００内の電池（Ｌｉ−ｉｏｎバッテリー）の残りバッテリー量を示す情報（端末電池残量情報）を取得する（残量情報取得工程）と共に、モバイルルータ装置１３０１のＬｉ−ｉｏｎバッテリー１２０７の残りバッテリー量を示す自己電池残量情報、モバイル機器１３００の残りバッテリー量（端末電池残量情報）、モバイル機器１３００のモバイルルータ装置１３０１に対する無線通信接続状況、およびＷｉＭＡＸ網に対する通信接続状況に基づいて、モバイルルータ装置１３０１およびモバイル機器１３００それぞれの電池残量を推測する（残量推測工程）。
最後に、給電制御部１２１０が、推測された電池残量を示す情報が一定値内に近似する場合に前記給電部による前記無線通信端末に対する給電動作を抑制する（給電抑制制御工程）。
【００８０】
ここで、上記給電工程、残量情報取得工程、残量推測工程、および給電抑制制御工程については、その実行内容をプログラム化し、コンピュータに実行させるように構成してもよい。
また、本プログラムは、非一時的な記憶媒体、例えば、ＤＶＤ、ＣＤ、フラッシュメモリなどに記録されてもよい。その場合、本プログラムは、記録媒体からコンピュータによって読み出され、実行される。
【００８１】
次に、実施形態２（図１４）の動作内容について、図１５のフローチャートに基づき詳説する。
【００８２】
まず、無線ＬＡＮアクセスポイントとして機能するモバイルルータ装置１３０１に対してモバイル機器１３００が無線ＬＡＮ接続を確立する（ステップ１５００）。
次に、モバイルルータ装置１３０１がＡＣアダプタ１４０３を介してＡＣ１００Ｖコンセントに接続され、モバイルルータ装置１３０１のＬｉ−ｉｏｎバッテリー１２０７に充電が開始されるものとする（ステップ１５０１）。
【００８３】
次いで、モバイル機器１３００およびモバイルルータ装置１３０１が、非接触充電ができるように近接される（ステップ１５０２）。
尚、ここでは、モバイル機器およびモバイルルータはそれぞれ非接触充電に対応した内部構成を有しているものとする。
【００８４】
ここで、モバイル機器１３００およびモバイルルータ装置１３０１が、それぞれＵＳＢインターフェイスを備えている場合には、給電用ケーブルとしてのＵＳＢケーブルで相互に接続され、このＵＳＢケーブルを介して給電が行われる構成であってもよい。
【００８５】
ここで、モバイルルータ装置１３０１からモバイル機器１３００に対して給電が開始される、つまり、モバイル機器１３００のＬｉ−ｉｏｎバッテリーにおける充電が行われる（ステップ１５０３）。
【００８６】
次いで、メイン制御部１２００が、モバイルルータ装置１３０１のＬｉ−ｉｏｎバッテリー１２０７が充電完了となるまでの時間を計測すると共に、モバイル機器１３００におけるメイン制御部に設定された専用アプリケーション手段が、モバイル機器１３００のＬｉ−ｉｏｎバッテリーにおける充電完了となるまでの時間を計測する。
また、計測されたモバイルルータ装置１３０１のメイン制御部１２００が、上記計測された、モバイルルータ装置１３０１、モバイル機器１３００それぞれにおける充電完了となるまでの時間を比較する（ステップ１５０４）。
【００８７】
次に、モバイルルータ装置１３０１の給電制御部１２１０が、モバイルルータ装置１３０１およびモバイル機器１３００両者の充電完了時間が等しくなるように、モバイルルータ装置１３０１からモバイル機器１３００への給電電流の調整を行う（ステップＳ１５０５）。
【００８８】
また、給電制御部１２１０は、モバイル機器１３００の充電が完了しているかを常時チェックし（ステップ１５０６）、充電が完了していれば（ステップ１５０６のイエス）、モバイル機器１３００に対する給電を終了する。
また、充電が完了していない場合には（ステップ１５０６のノー）、一定時間待機した後（ステップ１５０７）、再び残り充電時間を比較する（ステップ１５０４）とともに、残り充電時間に変化があった場合に供給電流の調整を行う（ステップ１５０５）。
【００８９】
尚、給電制御部１２１０は、上記充電完了までの残り時間を、モバイルルータ装置の記憶部１２０５に予め記憶されたテーブル情報（図１６）に基づき算出するものとする。また、給電制御部１２１０は、充電中の時間当たりの電池残量の変化を算出する設定であってもよい。
【００９０】
以上のように、実施形態１および２では、モバイルルータ装置のメイン制御部が、モバイル機器のモバイルルータ装置に対する無線通信接続状況（例えば、通信パケット量）、およびＷｉＭＡＸ網（外部ネットワーク）に対する通信状況（例えば、通信パケット量）に基づき、モバイルルータ装置５０１およびモバイル機器５００それぞれの残り動作時間をより正確に推定することができ、これにより、モバイルルータ装置からモバイル機器に対する給電動作を適切に制御することが可能となる。
【００９１】
上述した実施形態については、その新規な技術的内容の要点をまとめると、以下のようになる。
尚、上記の実施形態の一部又は全部は、新規な技術として以下のようにまとめられるが、本発明は必ずしもこれに限定されるものではない。
【００９２】
（付記１）
外部ネットワークに対して無線通信接続を行うルータ装置と、前記ルータ装置に対して無線接続すると共に当該ルータ装置を経由して前記外部ネットワークに対する通信接続を行う無線通信端末とを備えた給電制御システムであって、
前記ルータ装置は、
当該ルータ装置に対して無線接続した前記無線通信端末に対して
当該ルータ装置内に予め設けられた充電用電池から前記無線通信端末に対して給電を行う給電部と、
前記無線通信端末から当該無線通信端末の有する端末内電池の残りバッテリー量を示す端末電池残量情報を取得する残量情報取得部と、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測部と、
前記ルータ装置および前記無線通信端末それぞれにおける推測された前記電池残量に係る情報が一定値内に近似する場合に前記給電部による前記無線通信端末に対する給電動作を抑制する給電抑制制御部とを備えたことを特徴とする給電制御システム。
【００９３】
（付記２）
付記１に記載の給電制御システムにおいて、
前記給電部は、前記充電用電池から得た微小電力を利用して機能し予め設定されたバッテリー残量閾値を記憶保持するマイコン手段を備え、
前記給電抑制制御部は、前記マイコン手段が備えたバッテリー残量閾値を下回った場合に前記給電部による前記無線通信端末に対する給電動作を抑制する閾値判定抑制手段を備えたことを特徴とする給電制御システム。
【００９４】
（付記３）
付記１または２に記載の給電制御システムにおいて、
前記ルータ装置は、前記給電部として非接触型電力送信を行うことにより前記無線通信端末に対して給電を行う非接触型給電部を備え、
前記無線通信端末は、前記非接触型電力送信された電力を取得し前記端末内電池に蓄電するワイヤレス電力蓄電部を有することを特徴とした給電制御システム。
【００９５】
（付記４）
付記１または２に記載の給電制御システムにおいて、
前記残量情報推測部は、前記充電用電池の残りバッテリー量を示す自己電池残量情報および前記端末電池残量情報から前記ルータ装置および前記無線通信端末それぞれの動作時間を示す装置動作時間および端末動作時間を算出することを特徴とした給電制御システム。
【００９６】
（付記５）
無線通信端末に対して通信親機としての無線通信電波を提供すると共に外部ネットワークに対して無線通信接続を行うルータ装置であって、
当該ルータ装置に対して前記無線通信電波を利用して無線接続した前記無線通信端末に対して自己内に予め設けられた充電用電池から給電を行う給電部と、
前記無線通信端末から当該無線通信端末の有する端末内電池の残りバッテリー量を示す端末電池残量情報を取得する残量情報取得部と、
前記充電用電池の残りバッテリー量を示す自己電池残量情報、前記無線通信端末装置内に設けられた端末電池の残りバッテリー量を示す端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測部と、
前記推測された電池残量を示す情報が一定値内に近似する場合に前記給電部による前記無線通信端末に対する給電動作を抑制する給電抑制制御部とを備えたことを特徴とするルータ装置。
【００９７】
（付記６）
外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御方法であって、
前記ルータ装置に対して無線接続した前記無線通信端末に対して自己内に予め設けられた充電用電池から給電を行い、
前記無線通信端末から当該無線通信端末の有する端末内電池の残りバッテリー量を示す端末電池残量情報を取得し、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測し、
前記推測された電池残量を示す情報が一定値内に近似する場合に前記給電部による前記無線通信端末に対する給電動作を抑制する構成とし、
上記動作工程を前記ルータ装置により実行することを特徴とした給電制御方法。
【００９８】
（付記７）
外部ネットワークに対して無線通信接続を行うルータ装置と、前記ルータ装置に対して無線通信接続すると共に当該ルータ装置を経由して前記外部ネットワークに対する接続を行う無線通信端末とを備えた給電制御システムにあって、当該ルータ装置に無線接続した前記無線通信端末に対して給電を行うための給電制御プログラムであって、
前記ルータ装置に対して無線接続した前記無線通信端末に対して自己内に予め設けられた充電用電池から給電を行う給電機能と、
前記無線通信端末から当該無線通信端末の有する端末内電池の残りバッテリー量を示す端末電池残量情報を取得する残量情報取得機能と、
前記充電用電池の残りバッテリー量を示す自己電池残量情報、前記端末電池残量情報、前記無線通信端末における前記ルータ装置に対する無線通信利用状態、および前記無線通信端末の前記ルータ装置を介して前記外部ネットワークに対して行う無線通信利用状態に基づき前記ルータ装置および前記無線通信端末それぞれの電池残量を推測する残量情報推測機能と、
前記推測された電池残量を示す情報が一定値内に近似する場合に前記給電部による前記無線通信端末に対する給電動作を抑制する給電抑制制御機能とを、前記ルータ装置の備えたコンピュータにより実現することを特徴とした給電制御プログラム。
【産業上の利用可能性】
【００９９】
本発明は、異なる端末間で各端末におけるバッテリー（電池）残量や動作可能時間を示す電池データを相互に通知すると共に、この電池データに基づき端末間で行われる電力供給の量を制御する端末間電力供給システムに対して有効に適用することができる。
【符号の説明】
【０１００】
１００、４００  メイン制御部
１０５  記憶部
１０６  電源回路
１０７  バッテリー
１０８  受電インターフェイス
１１１  給電インターフェイス
２００、５００  モバイル機器
２０１、５０１  モバイルワイヤレスルータ装置
２０２、５０２  ＷｉＭＡＸ基地局
４０１  バッテリー残量監視部
４０２  無線ＬＡＮ通信部
４０４  Ｌｉ−ｉｏｎバッテリー
４０５  充電制御部
４００１  専用アプリケーション手段
【図１】
0005773432.tif 000002
【図２】
0005773432.tif 000003
【図３】
0005773432.tif 000004
【図４】
0005773432.tif 000005
【図５】
0005773432.tif 000006
【図６】
0005773432.tif 000007
【図７】
0005773432.tif 000008
【図８】
0005773432.tif 000009
【図９】
0005773432.tif 000010
【図１０】
0005773432.tif 000011
【図１１】
0005773432.tif 000012
【図１２】
0005773432.tif 000013
【図１３】
0005773432.tif 000014
【図１４】
0005773432.tif 000015
【図１５】
0005773432.tif 000016
【図１６】
0005773432.tif 000017